(57)【特許請求の範囲】
【請求項１】
ステッチ形成部材（４）と、前記ステッチ形成部材（４）の方向へ複数の編み糸（１０）を誘導するため、少なくとも１つの小穴（２ｂ）を備える複数のガイド（２ａ）を有する少なくとも１つのガイド棒（２）と、を備える布地編み機（１）上での無伝線布地の製造方法であって、
前記少なくとも１つのガイド棒（２）に属する各ガイド（２ａ）が弾性編み糸（１０ａ）と非弾性編み糸（１０ｂ）を誘導することを特徴とする方法。
【請求項２】
前記少なくとも１つのガイド棒（２）に属する各ガイド（２ａ）が単一小穴（２ｂ）を備えることを特徴とする、請求項１に記載の方法。
【請求項３】
前記非弾性編み糸（１０ｂ）が２２〜４４ｄＴｅｘの線密度を有し、前記弾性編み糸（１０ａ）が３３〜４４ｄＴｅｘの線密度を有することを特徴とする、請求項１に記載の方法。
【請求項４】
前記ガイド（２ａ）が、インチ当たり４０〜４４ｄＴｅxの間にあるように、前記ガイド棒（２）上に設置されることを特徴とする、請求項３に記載の方法。
【請求項５】
前記編み糸（１０）が４ステッチＡｔｌａｓ編みパターンに配置されることを特徴とする、請求項３または４に記載の方法。
【請求項６】
前記編み機（１）が、互いの間でそれらが１０°〜６０°の範囲で交差角度（α）を形成するように、編み糸（１０）を異なる前方供給方向（６ａ）へ移動するようにさせるコンベヤシステム（５）を備えることを特徴とする、請求項１から５までのいずれかに記載の方法。
【請求項７】
前記コンベヤシステム（５）が、異なる速度で異なる編み糸（１０）を前方供給することを特徴とする、請求項３または４に記載の方法。
【発明の詳細な説明】
【技術分野】
【０００１】
この発明は、ステッチ形成部材と、前記ステッチ形成部材の方向へ複数の編み糸を誘導するための、少なくとも１つの小穴を備える複数のガイドを有する少なくとも１つのガイド棒と、を備える布編み機上での無伝線布地の製造方法、及び前記方法により得られる布地に関する。
【背景技術】
【０００２】
布地は、前記編み糸を結合してステッチを形成することができる特殊反復装置に設置される複数の編み糸から作ることが一般的に知られている。
【０００３】
布地の特徴は、このようにパターンにおける編み糸の配置、使用される編み糸の型、及び最後に単一ステッチの寸法により決定される。
【０００４】
特に、いわゆる無伝線弾性布地は、本質的に非弾性編み糸と本質的に弾性編み糸の組み合わせで縦糸といわれる同一方向に走る複数の編み糸からなる基本パターンを使用して作られる。
【０００５】
無伝線弾性布地は様々な用途で、特に水着、スポーツウェア、下着等のような衣料品用に使用される。
【０００６】
問題の布地は、ガイドと呼ばれる特殊穿孔部材の小穴を通して挿入され、編み糸の方向と交差して設置される針列上に落下する編み糸を供給し、かつ処理する手段を備える特殊布編み機により工業的に製造される。
【０００７】
前記針とガイドは、長手方向へ伸びる特殊な棒に沿った反復装置にも設置される。
【０００８】
特に、１つが基本パターンを形成する各異なる編み糸用で、１つの針棒、及びその各々が異なる目的に役立つ他のステッチ形成部材用の複数のガイド棒が備えられる。
【０００９】
より詳細には、基本パターンの各編み糸は異なるガイドの小穴を通過し、編み糸はその後下にある針と同時に交わる。
【００１０】
無伝線布地を作るために使用される織機の型を有する既知編み機の断面図の概略例を図１に示し、ここで２つの分離したほぼ同一ガイド棒は、各々が互いに相互作用し布地を生成するステッチ形成部材を支持する下部の３つの針棒へ編み糸を運ぶ。
【００１１】
これらの機械が動き始めると、ガイドと針は往復運動を行う一方、編み糸は連続的に移動する。特に、編み糸は連続的、垂直かつ下降運動を行う一方、以後編み糸を移動させるガイドは、更に長手方向および横方向の往復運動を行う。
【００１２】
ガイドにより動かされる編み糸と相互作用するガイドの下に設置される針は、垂直往復運動で作動する。
【００１３】
この種の機械を使用して作られる布地の中で、複数の編み糸、特に互いにほぼ平行に配置される２つの編み糸を有する基本パターンで構成される布が、出願者により最近開発されている。
【００１４】
この型の布地で、基本パターンは、Ｌｙｃｒａなどのようなエラストマから構成される弾性編み糸と、ポリアミドなどから構成される非弾性編み糸との両方を含む。
【００１５】
これらの布地は、高い強度と限られた厚さの優れた特徴を有する。
【００１６】
染色が困難で、かつ見栄えがしないので、このような布地の弾性編み糸は非弾性編み糸によって隠される。
【００１７】
しかし、弾性編み糸は時には非弾性編み糸の後に整列せず、それらは布地の外観と感触上で負の副産物を伴い表面上に現れることが実証されている。
【００１８】
非常に細かいタイタを備える編み糸は、編み機の生産性の低下、従って、関連布地の製造コストを増加させることも注目に値する。
【発明の開示】
【００１９】
この点では、この発明の背後にある技術的目標は、上記欠点をほぼ克服できる無伝線弾性布地を設計することである。
【００２０】
前記技術的目標の枠内で、本発明の主目的は、改良された外観と表面感触を有する、互いに平行に配置される編み糸を有する基本パターンからなる布地を作るのに特に適した無伝線布地の製造方法を実現することである。この発明の別の目的は高生産性を有する無伝線布地の製造方法を実現することである。
【００２１】
上で特定された技術的目標と目的は、前記ガイド棒の少なくとも１つに属する前記ガイドの各々が前記小穴により複数の編み糸を誘導する方法により、前記ステッチ形成部材と、複数の編み糸を前記ステッチ形成部材の方向へ誘導するための少なくとも１つの小穴を備える複数のガイドを有する少なくとも１つのガイド棒と、を備える布編み機上で実現される無伝線弾性布地により達成される。前記布地は外観と感触の点で著しく改良された特徴を有する。
【００２２】
本発明の更なる特徴と利点は、付属図面を参照して、本発明の好適実施例の詳細記述で以下でよりよく説明される。
【発明を実施するための最良の形態】
【００２３】
付属図面を参照して、本発明による方法を実施するための編み機は数字１により全体を通して表示される。
【００２４】
それは本質的に、そして好ましくは図１に示す単一針床の無伝線型の織機を備える。
【００２５】
これらの機械は一部が既知であり、例えばＣｏｐｃｅｎｔｒａの名前で通る、ドイツ社ＬＩＢＡ  Ｍａｓｃｈｉｎｅｎｆａｂｒｉｋ  ＧｍｂＨにより提供される。
【００２６】
布編み機１は、少なくとも１つのガイド棒２、ステッチ形成部材システム３、及び編み糸コンベアシステム５を備える。
【００２７】
特に、各ガイド棒２は、往復運動装置の中にあり、長手方向１ａに互いに平行で、図２ａに示す断面平面に直行し、そして垂直１ｂかつ横方向１ｃの、複数のガイド２ａを備える。
【００２８】
ステッチ形成部材システム３は、既知の型でそして基本的には既知方法により編み糸を係合し、引っ張り、そして結合するのに適した錘棒３ａ、スライダ棒３ｂ及び針棒３ｃを備える。
【００２９】
特に、ステッチ形成部材システム３は複数の単一ステッチ形成部材４を備え、そしてステッチ形成部材システム３の錘３ａ、スライダ３ｂ及び針３ｃの各棒は、夫々往復装置の中にあり、長手方向１ａに互いに平行で、そしてガイド棒２と同一空間配置を有する複数の単一錘４ａ、スライダ４ｂ、及び針４ｃを備える。
【００３０】
前記ガイド棒２、及びステッチ形成部材４は所定往復運動も行う。
【００３１】
本発明による方法は、コンベアシステム５上、特に適当なローラ又はリール上に設置される複数の編み糸１０を含む。
【００３２】
それらが巻き戻されると、これらのローラは、編み糸１０の前方供給、それらの特定張力棒６上の通過、及びガイド２ａとステッチ形成部材４への編み糸の連続的供給を可能にする。
【００３３】
コンベアシステム５と特に弾力棒６は、このように垂直方向１ｂに対し、編み糸１０がガイド２ａへ到達する、傾斜角度を決定することができる。
【００３４】
先に述べた往復運動により、ガイドは編み糸１０を互いに結合し、これにより無伝線布地１１を生成する。
【００３５】
本発明による方法は、少なくとも１つのガイド棒２に属し、複数の編み糸１０を誘導する各ガイド２ａ、及び好ましくは２つの編み糸１０を必要とする。
【００３６】
特に、各ガイド２ａは、ステッチ形成部材４へ向かって誘導されるために、複数の編み糸１０、好ましくは２つの編み糸１０が通過する小穴２ｂを備える。
【００３７】
いくつかの編み糸１０の通過のための前記小穴２ｂは、好ましくは穴２ｄを有し、その最大寸法は１ｍｍより大きく、好ましくは約２ｍｍである。
【００３８】
特に、小穴２ｂは、好ましくはほぼ円形で、１〜２ｍｍの範囲の直径を有する穴である。
【００３９】
又、各ガイド２ａには、いくつかの小穴２ｂがあり、好ましくは、１つは各編み糸１０用で、又は小穴は円形でなく楕円形のような形であり、いくつかの編み糸１０の通過を可能にするのに適する。
【００４０】
明らかに、ガイド２ａを有するいくつかのガイド棒２があり、その各々が複数の編み糸１０を誘導し、または各ガイドが１つだけの編み糸１０を誘導するガイド２ａを有するガイド棒２と関連して、各々が複数の編み糸１０を誘導するガイド２ａを有するガイド棒２があり、又は他の解が使用される。そのガイド２ａが２つの編み糸１０、特に以下により詳細に記述するような、１つの弾性編み糸１０ａと１つの非弾性編み糸１０ｂを誘導する、好ましくは１つだけのガイド棒２（又は１つだけが使用される）がある。
【００４１】
更に、コンベアシステム５は、好ましくは交差角度αが１０°〜６０°の範囲、又は更によくは２０°〜４０°の範囲の異なる前方方向６ａへ２つの編み糸１０を適切に誘導する。
【００４２】
前記異なる前方供給方向６ａは、２つの異なる編み糸１０が図２ｃに示すように、小穴２ｂと一直線上で互いに干渉しないことを保証するように設計される。
【００４３】
その結果、好ましくは１つが後部へ弾性編み糸１０を支持し、１つは前部へ非弾性編み糸１０ｂを支持する、２つの張力棒６がある。
【００４４】
ここで、最大弾性伸びが、その全長の２０％より少なければ編み糸はほぼ非弾性と規定され、一方それがその全長の８０％以上の最大伸びを有するならば、編み糸は弾性と規定される。
【００４５】
提案の解を使用して、各ガイド棒２をそれらがコンベアシステム５から巻き戻される速度により規定される、異なる速度で走行する２つの編み糸１０で供給することができる。
【００４６】
事実、弾性及び非弾性編み糸１０に対し、異なる張力と伸び（又は軸方向伸び）を使用すること、従って前記編み糸１０を異なる速度で巻き戻し、そして前方供給することがしばしば必要である。
【００４７】
更に、長手方向１ａでインチ（１インチ＝２、５４ｃｍ）当たりのガイド２ａの密度は、好ましくは３２〜４４、又はよりよくは４０〜４４である。
【００４８】
布地１１は、これにより布地１１に一定間隔で繰り返される基本パターン１２によって規定される。
【００４９】
前記基本パターン１２は少なくとも２つの編み糸１０を備え、そして互いに平行な前記少なくとも２つの編み糸１０を含む。
【００５０】
前記２つの編み糸１０は単一ガイド２ａにより誘導され、これにより同一経路に沿って進行し、常に互いに平行で、並んで接近する。
【００５１】
特に、基本パターン１２では２つだけの編み糸１０、即ち弾性編み糸１０ａと非弾性編み糸１０ｂがある。
【００５２】
非弾性編み糸１０ｂは既知型の材料から作られ：例えば、これは多繊維ポリアミド編み糸であり、又はそれはポリエステル、ポリプロピレン、又は他のこのような材料から作る。
【００５３】
それは、好ましくは２２〜６０ｄＴｅｘ、又はよりよくは、２２〜４４ｄＴｅｘのタイタを有する。ｄＴｅｘはタイタ又は編み糸の線密度を測定し、１０ｋｍ当たりのグラム数（１ｄＴｅｘ＝０、１ｇ／ｋｍ）で表示されることが周知である。
【００５４】
弾性編み糸１０ａは既知型の弾性材料、特にエラストマポリマまたはＬｙｃｒａ（登録商標）から作られ、それは好ましくは２２〜６０ｄＴｅｘのタイタを有する。
【００５５】
編み糸１０はガイド棒２の往復運動により決まる特定パターンで配置される。
【００５６】
例えば、図３は本発明の方法による布地１１の製造に関する好適な基本パターン１２を概略的に示す。
【００５７】
図は、その各々がその一時的位置の１つで第１針棒３ｃの針４ｃを示す複数の点を示す。針４ｃは段と呼ばれる水平線状に、そして列と呼ばれる垂直線状に配置される。列は編み糸と針の往復運動により事実上規定される一方、段は前記針の水平位置により規定される。そのため、針の列は同一針の往復位置を表示する一方、各段は複数の異なる針を表示する。
【００５８】
列間の白い空間は０〜４の自然数を使用して番号がつけられ、ガイド２ａが編み糸を設置する位置を表示する。
【００５９】
特に、２つの編み糸１０ａと１０ｂは両方共、３つの連続したステッチが異なる針４ｃ上で得られる各４つのステッチを繰り返す基本パターン１２により配置される。用語“連続する”はここではいずれの針４ｃも飛ばされないことを意味するために使用される。
【００６０】
前記パターンの型は技術的には４ステッチ“Ａｔｌａｓ”編みとして知られる。
【００６１】
前記パターンは閉又は開ステッチからなり；特に含まれる４つのステッチの中で、閉ステッチは０〜４の数で変動し、残りは開である。
【００６２】
図３は閉ステッチと開ステッチが交互にあるパターンを示し、特に開ステッチは３つの針４ｃセットの２つの外針上に設置される。
【００６３】
前記パターン１２は、第１段の０〜１、第２段の２〜１、第３段の３〜２、及び第４段の１〜２の空間と一直線状のガイド棒２の運動により規定される。
【００６４】
本発明は重要な利点を達成する。
【００６５】
事実、本発明による方法を使用して作られる布地１１が、既知型の方法、即ち異なるガイド棒に属する、異なるガイドの小穴を通過する各編み糸を含む方法を使用して、同一基本パターン１２で達成される同一型の布地１１と比較して、外観と感触において著しく改良された特徴を有することが実証されている。
【００６６】
上記利点は、特に単一ガイド２ａにより誘導される編み糸１０は常に並列に設置され、従って、下にある編み糸、即ち弾性編み糸１０ａが布地１１の表面上へ現れることなく、編み機１で確立された順序で配置されたままである。
【００６７】
同一理由により、布地１１ａの表面織り目は著しく改良されることも実証されている。
【００６８】
これらの改良点は、特に４ステッチＡｔｌａｓ編みパターンと、１つの弾性１０ａと、もう１つの非弾性１０ｂの２つの編み糸を使用して作られる布地において証明されている。その細かいタイタと複雑さのため、このような布地１１は特に２つの編み糸をガイド２ａの単一小穴２ｂへ挿入することを含む技術的解により改良される。
【００６９】
別の利点は、１つだけのガイド棒２を動かす必要性が機械１の生産性での改良、及び布地１１のコストの結果的な削除を可能にする事実から生じる。
【図面の簡単な説明】
【００７０】
【図１】既知の最新技術による編み機の主要部の断面図を示す。
【図２ａ】本発明による方法を実施するための編み機の主要部の断面図を示す。
【図２ｂ】図２ａに示す本発明による方法を実施するのに適した編み機の主要部の拡大断面図を示す。
【図２ｃ】図２ａと２ｂに図示する本発明による方法を実施するのに適した編み機の主要部の更なる拡大断面図を示す。
【図３】本発明による方法を使用して製造できる布地の基本パターンを示す。
【符号の説明】
【００７１】
１        ：布地編み機
１ａ      ：長手方向
１ｂ      ：垂直方向
１ｃ      ：横方向
２        ：ガイド棒
２ａ      ：ガイド
２ｂ      ：小穴
２ｄ      ：穴
３        ：ステッチ形成部材システム
３ａ、４ａ：錘棒
３ｂ、４ｂ：スライダ棒
３ｃ、４ｃ：針棒
４        ：ステッチ形成部材
５        ：コンベヤシステム
６        ：張力棒
６ａ      ：前方供給方向
１０      ：編み糸
１０ａ    ：弾性編み糸
１０ｂ    ：非弾性編み糸
１１      ：無伝線布地
１１ａ    ：布地
１２      ：基本パターン
【図１】
0005413822.tif 000002
【図２ａ】
0005413822.tif 000003
【図２ｂ】
0005413822.tif 000004
【図２ｃ】
0005413822.tif 000005
【図３】
0005413822.tif 000006